(57)【要約】本発明は、例えば着用者の生殖系を保護するようになっている幼児のパンティ・ナプキン等のボディ衛生用品であって、柔軟な外側不透過シート（２）と、この外側不透過シートの内側に配置された吸収層（８、９）とを備えたボディ衛生用品に関する。本発明は、吸収層の少なくとも一部（８）によって柔軟な外側不透過シートから隔てられ、且つ生殖系を保護するべく十分硬質となるように配置されて形成された、液体透過性の保護シェル（５）を更に備えていることを特徴とする。
2005516699.tif 000002
【特許請求の範囲】
【請求項１】
柔軟な外側不透膜（２、２’）と、この外側膜の内側に配置された吸収層（８、９、１６Ａ、１６Ｂ）とを備えた、着用者の体の領域を保護するためのボディ衛生用品であって、吸収層の少なくとも一部（８、１６Ａ）によって柔軟な前記外側不透膜から隔てられ、且つ保護される領域を押圧することなく覆うことができる十分硬い態様で配置され形成される、液体透過性の耐衝撃保護シェル（５、５’）を更に備えていることを特徴とする、ボディ衛生用品。
【請求項２】
着用者の生殖系を保護するようになっているパンティ・ナプキンを形成する、請求項１に記載のボディ衛生用品。
【請求項３】
吸収層は、シェルの外側および内側にそれぞれ位置する２つの層（８、９、１６Ａ、１６Ｂ）を備えていることを特徴とする、請求項１または２に記載のボディ衛生用品。
【請求項４】
シェルの内側の層は、シェルの外側の層よりも薄いことを特徴とする、請求項３に記載のボディ衛生用品。
【請求項５】
層（８、９）は、その縁部で、会陰および臀部の下側を通るようになっている吸収層部分（６）と接触していることを特徴とする、請求項３または４に記載のボディ衛生用品。
【請求項６】
吸収層（１６Ａ、１６Ｂ）が会陰および臀部の下側に延在することを特徴とする、請求項１から４のいずれか一項に記載のボディ衛生用品。
【請求項７】
シェル（５、５’）は、弾性材料または複数の穴（１０、１０’）を有する多孔性プラスチック材料によって形成されていることを特徴とする、請求項１から６のいずれか一項に記載のボディ衛生用品。
【請求項８】
シェルが編組材料によって形成されていることを特徴とする、請求項１から６のいずれか一項に記載のボディ衛生用品。
【請求項９】
シェルは、コーティングされた織物材料によって形成されていることを特徴とする、請求項１から６のいずれか一項に記載のボディ衛生用品。
【請求項１０】
着用者の皮膚に対して固定するための接着領域（１１、１１’）がその内面に設けられていることを特徴とする、請求項１から９のいずれか一項に記載のボディ衛生用品。
【請求項１１】
シェルには透過膜（７、７’）が裏打ちされていることを特徴とする、請求項１から１０のいずれか一項に記載のボディ衛生用品。
【請求項１２】
柔軟な外側不透膜と、この外側膜の内側に配置された吸収層とを備え、パンティまたはパンティ・ナプキンと協働するようになっている衛生用品であって、液体透過性の耐衝撃保護シェルを備え、このシェルには、吸収層の少なくとも一部によって柔軟な外側不透膜からシェルが隔てられ、且つそれによってシェルが生殖系を覆うような形態でシェルを位置決めするための固定手段（１１１、１１２）が設けられ、シェルは、生殖系を押圧することなく覆うことができる十分に硬い態様で形成される、衛生用品。
【請求項１３】
シェルの外側に吸収層（１０８）を備えていることを特徴とする、請求項１２に記載の衛生用品。
【請求項１４】
シェルの内側に吸収層（１０９）を備えていることを特徴とする、請求項１２に記載の衛生用品。
【請求項１５】
生殖系と対向する柔軟な透過膜を備えていることを特徴とする、請求項１２から１４のいずれか一項に記載の衛生用品。
【請求項１６】
固定手段は、皮膚に付着するようになっている接着領域（１１１）を備えていることを特徴とする、請求項１２から１５のいずれか一項に記載の衛生用品。
【請求項１７】
固定手段は、パンティまたはパンティ・ナプキンに付着するようになっている接着領域（１１２）を備えていることを特徴とする、請求項１２から１６のいずれか一項に記載の衛生用品。
【発明の詳細な説明】
【技術分野】
【０００１】
本発明は、例えばアクシデント、手術、単なる炎症後に生殖系を保護するようになっているパンティ・ナプキン等のボディ衛生用品に関する。本発明は、特に、包皮切除された少年、あるいは、負傷者、病人、男女の老人のためのパンティ・ナプキンを対象としているが、これに限らない。同様に、本発明は、この目的のために特にデザインされたパンティ・ナプキンを対象にするとともに、同様の目的の従来のパンティまたはパンティ・ナプキンと協働するようになっている衛生用品を対象にしている。最後に、本発明は、一般に、使用者の体の任意の領域を保護するようになっているボディ衛生用品を対象にしている。
【背景技術】
【０００２】
パンティ・ナプキン構造の原理は、技術的に良く知られている。特に仏国特許公開第２  ４１３  ０４８号明細書、仏国特許公開第２  ４３８  ４３４号明細書、仏国特許公開第２  ６０７  ３６６号明細書に記載されているように、ナプキンは、主に、液体を透過しない柔軟な外側膜、例えばポリエチレンフィルムと、この柔軟な外側膜の内側に位置し、且つ１つ以上の層、例えばセルロース綿から成る複数の層を含む吸収パッドと、通常は透過性を有し且つ従来的には不織布材料から成る内側膜とを備えている。
【発明の開示】
【発明が解決しようとする課題】
【０００３】
ある種の伝統としては、時として子供が未だその括約筋を制御することができない生後数週間または数ヶ月の年齢で、少年に対して行なう包皮切除がある。パンティ・ナプキンの使用は、傷跡が完全に治癒するまでは不適当である。これは、動いた場合に、治療している領域がこすれたり衝撃を受けたりする虞が実際にあるためである。そのため、多くの場合、一時的にパンティ・ナプキン無しで済ませる必要があるが、あらゆる不都合が生じることは想像できる。
【０００４】
同じ問題は、赤ん坊の生殖系や、失禁する、動けない、あるいは、老人の成人男女に関する様々な種類の手術後において生じる場合がある。
【０００５】
したがって、本発明の第１の目的は、生殖系を衝撃、単なる接触、使用者の尿から保護しなければならない場合に使用できるパンティ・ナプキンである。
【０００６】
本発明の第２の目的は、従来のパンティ・ナプキンおよび従来のパンティと協働して、生殖系を衝撃、単なる接触、着用者の尿から保護するようになっている衛生用品である。
【０００７】
体液を生じ易い、体の他の領域は、衝撃または摩擦に対する保護によってメリットを得ることができる。このことは、特に、傷跡が治癒しつつある任意の領域に当てはまり、このような保護は、従来の手当て用品が適切に与えることができないものである。
【０００８】
このため、本発明の更なる目的は、体の領域を衝撃や単なる接触から保護するようになっている衛生用品である。
【課題を解決するための手段】
【０００９】
この目的のため、本発明は、柔軟な外側不透膜と、この外側膜の内側に配置された吸収層とを備えた、着用者の生殖系を保護するようになっているパンティ・ナプキンにおいて、吸収層の少なくとも一部によって柔軟な外側不透膜から隔てられ、且つ生殖系を押圧することなく覆うことができる十分硬い態様で配置され形成される、液体透過性の耐衝撃保護シェルを更に備えていることを特徴とするパンティ・ナプキンを提供する。
【００１０】
本発明の好ましい適切に組み合わされた特徴において、
−吸収層は、シェルの外側および内側にそれぞれ位置する２つの層を備え、
−シェルの内側の層は、シェルの外側の層よりも薄く、
−層は、その縁部で、会陰および臀部の下側を通るようになっている吸収層部分と接触して、
−吸収層が会陰および臀部の下側に延在し、
−シェルは、弾性材料または複数の穴を有する多孔性プラスチック材料によって形成され、
−シェルが編組材料によって形成され、
−シェルは、コーティングされた織物材料によって形成され、
−着用者の皮膚に対して固定するための接着領域がその内面に設けられ、
−シェルには透過膜が裏打ちされている。
【００１１】
また、本発明は、柔軟な外側不透膜と、この外側不透膜の内側に配置された吸収層とを備え、パンティまたはパンティ・ナプキンと協働するようになっている衛生用品であって、液体透過性の耐衝撃保護シェルを備え、このシェルには、吸収層の少なくとも一部によって柔軟な外側不透膜からシェルが隔てられ、且つ生殖系を押圧することなく覆うことができる十分硬い態様でシェルが配置され形成されるように、シェルを位置決めするための固定手段が設けられている衛生用品を提供する。
【００１２】
本発明の好ましい第２の特徴において、
−衛生用品は、透過シェルの内側に内側吸収層を更に備え、
−衛生用品は、シェルの内側に透過膜を更に備え、
−固定手段は、シェルを体に固定するようになっていて、
−固定手段は、シェルをパンティまたはパンティ・ナプキンの内側に固定するようになっていて、
−シェルは、複数の穴が穿孔されたプラスチック材料または弾性材料によって形成されている。
【００１３】
本発明の他の態様は、柔軟な外側不透膜と、この外側膜の内側に配置された吸収層とを備えた、着用者の体の領域を保護するようになっている手当て用品において、吸収層の少なくとも一部によって柔軟な外側不透膜から隔てられ、且つ保護される領域を押圧することなく覆うことができる十分硬い態様で配置され形成される、液体透過性の耐衝撃保護シェルを更に備えていることを特徴とする手当て用品を提供する。
【００１４】
なお、ここで定義されるパンティ・ナプキンは、この種の衛生用品の特別の例である。
【００１５】
以下、非制限的な一例として、添付図面を参照しながら、本発明の目的、特徴、利点について説明する。
【発明を実施するための最良の形態】
【００１６】
図１から図３は、着用者の体の領域を保護するための衛生用品を概略的に示している。この衛生用品は、柔軟な外側不透膜と、この外側膜の内側に配置された吸収層とを備えているとともに、吸収層の少なくとも一部によって柔軟な外側不透膜から隔てられ、且つ保護される領域を押圧することなく覆うことができる十分硬い態様で配置され形成される、液体透過性の耐衝撃保護シェルを更に備えていることを特徴とする。
【００１７】
具体的には、図示の実施例において、衛生用品はパンティ・ナプキン１である。本発明において、このパンティ・ナプキン１は、従来と同様に補完的な固定領域３、４が設けられた柔軟な外側不透膜２と、吸収材料から成る１つ以上の層と、吸収材料層の１つ以上の部分によって柔軟な外側膜から分離され、且つパンティ・ナプキン１の使用者の生殖系を覆うための液体透過性の、硬質な保護シェル５とを備えている。
【００１８】
パンティ・ナプキン１は、このシェルを含み生殖系と対向する領域の外側に、従来の構成、例えば、特に使用者の会陰および臀部の下側を通るようになっている別個の吸収材料層６と、パンティ・ナプキンの着心地を良くするための弾性領域（図示せず）とを有している。これらの特徴は固有のものであり、ここでは、これらについて詳細に説明しない。実際には、吸収層が補完的な層６に接合され、少なくとも吸収材料が設けられるパンティ・ナプキンの領域で、柔軟な透過膜７（図３参照）がパンティ・ナプキンの裏地を形成する。
【００１９】
図示の実施例において、吸収材料層は、シェル５の外側および内側のそれぞれに配置される２つの層８、９を備えている。
【００２０】
シェル５は、透過性であるため、任意の液体を内側層９から層８へと流すことができ、それにより、生殖系に最も近い層９の湿り気を最小限に抑えるのに役立つ。
【００２１】
シェルの外側に液体を溜めておくため、外側層８は、内側層９よりも厚いことが好ましい。図示しない変形例においては、層８が省かれるが、層８の存在は、それが使用者に心地良さを与えるのに寄与し、且つ液体が生じた時に液体を素早く吸収することができるという点で有益である。
【００２２】
透過性のシェルは、寝ている時（例えば寝返りを打っている時）、あるいは、基本的に静かに活動している時とにかかわらず、パンティ・ナプキンの使用中に、生殖系を不意な接触、圧力、または、衝撃から保護するようになっている。したがって、シェルは、例えば激しいスポーツまたは格闘技をしている最中に生殖系を保護するために使用されるシェルほど硬質である必要はない。シェル５は、それが男性または女性の生殖系を覆うのに適した凹部形状を成し、且つパンティ・ナプキンの使用時間の間、すなわち数時間だけ凹部形状を保持することができるという意味では、硬質である。
【００２３】
したがって、シェル５は、スポーツシェルよりもはるかに薄く且つ弱くても構わない。シェルは、例えばプロピレン等のプラスチック材料、または、ゴム等の弾性材料によって形成されており、厚さが数ミリメートルである。
【００２４】
図示の実施例において、シェル５は、不透過性のプラスチック材料によって形成されており、好ましくはシェルの表面全体にわたって十分に分布する多数の穿孔１０によって液体を通すことができるように形成されている。
【００２５】
外側層８および内側層９を構成する略フィラメント状の不織布吸収材料（例えば、セルロース綿）を与える場合には、これらの穿孔は、各層のフィラメント同士を接触させるのに役立っても良く、それにより、シェルの内部から外部への液体の排液を容易にしても良い。
【００２６】
図示しない変形例において、シェルは、排液がシェルを通過する際に、非常に急速にその形状が崩れることなく、数時間の間その形状を保持できるように、コーティングによって硬化された織布または不織布材料によって形成されていても良い。この場合、シェルは、液体を透過できる構造を成している。他の構成も考えられる。すなわち、シェルは、プラスチックフィラメントまたは弾性フィラメント等を編み込むことによって形成されても良い。実際には、前述したように、シェルの透過性は、シェルを形成する材料に固有の透過性に起因していても良く、あるいは、材料が形作る幾何学的形状（例えば、網目状、有孔形状等）に起因していても良い。
【００２７】
当然、当業者は、対象とするパンティ・ナプキンの着用者の年齢や性別に応じた、使用中にその存在によって不快にならないシェルの幾何学的構成（形状および外形）の形成方法を知っている。
【００２８】
図示の実施例において、層８、９は、その間でシェルを挟み込んでおり、略同じ外形を有している（シェルの縁部を含むシェルの表面全体にわたって液体を吸収できるように、これらの層は、シェルよりも僅かに大きいことが好ましい）。液体をポンプ作用によって良好に排出し続けることができるように、これらの層の縁部（または、内側層が無い場合には、外側層の縁部）は、層６と接触するように延びている。
【００２９】
図４の実施形態において、外側層および内側層は、実際には、生殖系と対向しない領域に設けられた大きな塊状の層１６の２つの副層１６Ａ、１６Ｂの形態を成す延在部である。このパンティ・ナプキンは、この点に関してのみ図１から図３のパンティ・ナプキンと異なっているため、詳細には説明しない。この図において、図１から図３に示された部分と類似する部分については、図１から図３と同じ参照符号に「ダッシュ記号（’）」を付してある。
【００３０】
柔軟な透過膜７または７’は、それが存在する場合には、内側吸収層９または１６Ｂの内面に付着され、あるいは、シェルに対して直接に付着されていることが有益である。膜７または７’は、保護される体領域と対向する。
【００３１】
実際には、従来のパンティ・ナプキン固定方法は、良好な保持性を達成するための十分な性能を与える。それにもかかわらず、本発明のパンティ・ナプキンは、動いている時であってもシェルの良好な保持性を確保するため、使用者の体、例えば生殖系のちょうど上側の部位に一時的に付着可能な接着領域１１または１１’をその内面に備えていることが好ましく且つ有益である。
【００３２】
図５は、図示しない従来のパンティ・ナプキン（または、不透過性のパンティ）と共に図３の構造を形成する衛生用品を示している。
【００３３】
図５において、図３に示された部分と類似する部分は、図３と同じ参照符号に１００を足した符号で表わされている。
【００３４】
すなわち、この衛生用品は液体透過性の耐衝撃保護シェル１０５を備えており、このシェルにはシェルを皮膚に固定するための手段１１１が設けられ、手段１１１は、着用者の体領域を押圧することなく覆うことができる形態で、シェルを着用者の体領域上にわたって位置決めするようになっている。
【００３５】
したがって、この衛生用品がパンティ・ナプキンまたは不透過性のパンティと共に着用されると、パンティまたはパンティ・ナプキンの一部であることが好ましい吸収層によってパンティまたはパンティ・ナプキンの柔軟な外側不透膜からシェルが隔てられる構造が得られる。
【００３６】
しかしながら、ここに示されるように、この衛生用品は、シェルの内側に形成される場合がある外部流体へ排出するためにシェルの外面に固定される吸収層１１０を備えていることが有益である。
【００３７】
また、この衛生用品は、シェルの裏地を成し且つ流体の吸収および排出を向上させる内側吸収層１０９を備えていれば好ましい。
【００３８】
快適さのため、層１０９の存在とは無関係に、保護される体の部位と対向する柔軟な透過膜１０７が存在することが有益である。
【００３９】
図示の実施例において、固定手段１１１は、皮膚に付着し且つ膜１０７に固定されるようになっている接着領域であるが、図示しない変形例においては、従来の手当て用品の場合と同様に、固定手段が外側吸収層の突出部に固定され、それにより、シェルの良好な保持性を得るようにしても良い。また、皮膚に固定するためのこれらの手段１１１は、内側層１０９に対して或いはシェル１０５自体に対して固定されても良い。
【００４０】
衛生用品が使い捨てである場合、その保持性は、必ずしも手当て用品のそれと同じ品質を有している必要はない。
【００４１】
別の例として、衛生用品には、体に対して間接的に固定するための間接固定手段、すなわち、その内側で衛生用品が身に付けられるようになっている、パンティまたはパンティ・ナプキンに対して固定するための手段が設けられていても良い。その場合、このパンティまたはパンティ・ナプキンには、体に保持するためのその通常の専用の手段（すなわち、パンティ・ナプキンの従来の接着タブ、または、胴回りを形成するパンティの部分）が設けられる。
【００４２】
ここで、間接固定手段は、例えば使用前に取り外し可能な保護膜（図示せず）で覆われた接着層１１２の形態を成す。また、手段１１２は、衛生用品の任意の他の部分（内側層１０９、膜１０７、あるいは、シェル１０５自体）に対して固定されても良い。
【００４３】
手段１１１と手段１１２とを組み合わせても良い。
【００４４】
手段１１１の接着剤は、抗アレルギー性であることが有益である。
【００４５】
図３の構成および図４の構成は、これらの図から分かるように、例えば生殖系以外の体領域を覆うための非常に一般的な適用例である。すなわち、シェルの凹部は、保護される領域、例えば治療中の傷口であって、且つできる限り傷口から排出させなければならない流体を生じる虞がある傷口を、これと所定の距離をもって、すなわち、これと接触することなく、覆うことができる。
【００４６】
以上、非制限的な単なる一実施例を説明してきたが、本発明の範囲から逸脱することなく、多くの変形例を考え得ることは言うまでもない。
【図面の簡単な説明】
【００４７】
【図１】本発明に適合するパンティ・ナプキンであって、その保護部が所定の位置で分解された状態で示されたパンティ・ナプキンの斜視図である。
【図２】保護部がパンティ・ナプキンの外側層を通じて見える点が図１のパンティ・ナプキンと異なる、パンティ・ナプキンの他の斜視図である。
【図３】パンティ・ナプキンの部分縦断面図である。
【図４】図１から図３のパンティ・ナプキンの変形例の部分縦断面図である。
【図５】パンティまたはパンティ・ナプキンと協働して、図３のナプキンと同様の組み合わせを形成するようになっている衛生用品の部分断面図である。
【図１】
2005516699.tif 000003
【図２】
2005516699.tif 000004
【図３】
2005516699.tif 000005
【図４】
2005516699.tif 000006
【図５】
2005516699.tif 000007
【国際調査報告】
2005516699.tif 000008
2005516699.tif 000009
2005516699.tif 000010
2005516699.tif 000011
2005516699.tif 000012
2005516699.tif 000013
2005516699.tif 000014
2005516699.tif 000015